(57)【要約】【課題】展示ケース内に配置された展示品が自然かつ鮮やかで美しく見えるようにする技術を提供する。【解決手段】展示ケース１００は、透明な板状部材により構成される展示窓１０５と、特定波長吸収色素を含む層を有する第１透明シート１１１と、を備え、特定波長吸収色素が、波長域５００〜６００ｎｍに吸収極大波長を有する化合物であり、展示窓１０５を透過して展示ケース１００の外部に出射する光が、第１透明シート１１１を透過した光を含むように第１透明シート１１１が配置されており、第１透明シート１１１の透過率曲線は、波長域５００〜６００ｎｍに吸収極大波長を有し、吸収極大波長の透過率が６０％以下である。【選択図】図１
2020160153.tif 000002
【特許請求の範囲】
【請求項１】
透明な板状部材により構成される展示窓と、
特定波長吸収色素を含む層を有する透明シートと、
を備える展示ケースであって、
前記特定波長吸収色素が、波長域５００〜６００ｎｍに吸収極大波長を有する化合物であり、
前記展示窓を透過して当該展示ケースの外部に出射する光が、前記透明シートを透過した光を含むように前記透明シートが配置されており、
前記透明シートの透過率曲線は、波長域５００〜６００ｎｍに吸収極大波長を有し、前記吸収極大波長の透過率が６０％以下である、展示ケース。
【請求項２】
前記特定波長吸収色素が、下記一般式（１）に示される化合物である、請求項１に記載の展示ケース。
【化１】
2020160153.tif 000015
（上記一般式（１）中、Ｒ1〜Ｒ8はそれぞれ独立に、水素原子、フッ素原子、シアノ基、直鎖、分岐または環状のアルキル基、直鎖、分岐または環状のアルコキシ基、置換または未置換のアリール基、直鎖、分岐または環状のハロゲノアルキル基、直鎖、分岐または環状のハロゲノアルコキシ基、直鎖、分岐または環状のアルコキシアルキル基を表す。ただしＲ1〜Ｒ8のすべてが水素原子であることはない。Ｍは２個の水素原子、２価の金属原子、または酸化金属原子を表す。）
【請求項３】
前記透明シートが前記展示窓に隣接して配置されている、請求項１または２に記載の展示ケース。
【請求項４】
当該展示ケースの内部に設けられた光源装置を備える、請求項１乃至３いずれか１項に記載の展示ケース。
【請求項５】
前記透明シートが、前記光源装置と、当該展示ケース内に配置される展示品と、の間に設けられる、請求項４に記載の展示ケース。
【請求項６】
前記透明シートの材料が、エポキシ樹脂、ポリエステル樹脂、ポリオレフィン樹脂、ポリカーボネート樹脂、ポリ塩化ビニル樹脂、スチレン樹脂、アクリル樹脂、ポリアミド樹脂、セルロース樹脂、ウレタン樹脂およびシリコーン樹脂からなる群から選択される１種または２種以上を含む、請求項１乃至５いずれか１項に記載の展示ケース。
【請求項７】
前記特定波長吸収色素を含む前記層の厚みが、５μｍ以上５００μｍ以下である、請求項１乃至６いずれか１項に記載の展示ケース。
【請求項８】
透明な板状部材により構成される展示窓を備える展示ケースに配設される透明シートであって、
特定波長吸収色素を含む層を有し、
前記特定波長吸収色素が、波長域５００〜６００ｎｍに吸収極大波長を有する化合物であり、
前記展示窓を透過して前記展示ケースの外部に出射する光が、当該透明シートを透過した光を含むように配置されて演色効果を付与し、
当該透明シートの透過率曲線は、波長域５００〜６００ｎｍに吸収極大波長を有し、前記吸収極大波長の透過率が６０％以下である、透明シート。
【請求項９】
前記特定波長吸収色素が、下記一般式（１）に示される化合物である、請求項８に記載の透明シート。
【化２】
2020160153.tif 000016
（上記一般式（１）中、Ｒ1〜Ｒ8はそれぞれ独立に、水素原子、フッ素原子、シアノ基、直鎖、分岐または環状のアルキル基、直鎖、分岐または環状のアルコキシ基、置換または未置換のアリール基、直鎖、分岐または環状のハロゲノアルキル基、直鎖、分岐または環状のハロゲノアルコキシ基、直鎖、分岐または環状のアルコキシアルキル基を表す。ただしＲ1〜Ｒ8のすべてが水素原子であることはない。Ｍは２個の水素原子、２価の金属原子、または酸化金属原子を表す。）
【請求項１０】
前記展示窓に隣接して配置される、請求項８または９に記載の透明シート。
【請求項１１】
前記展示ケースが、前記展示ケースの内部に設けられた光源装置を備える、請求項８乃至１０いずれか１項に記載の透明シート。
【請求項１２】
前記光源装置と、前記展示ケース内に配置される展示品と、の間に設けられる、請求項１１に記載の透明シート。
【請求項１３】
当該透明シートの材料が、エポキシ樹脂、ポリエステル樹脂、ポリオレフィン樹脂、ポリカーボネート樹脂、ポリ塩化ビニル樹脂、スチレン樹脂、アクリル樹脂、ポリアミド樹脂、セルロース樹脂、ウレタン樹脂およびシリコーン樹脂からなる群から選択される１種または２種以上を含む、請求項８乃至１２いずれか１項に記載の透明シート。
【請求項１４】
前記特定波長吸収色素を含む前記層の厚みが、５μｍ以上５００μｍ以下である、請求項８乃至１３いずれか１項に記載の透明シート。
【請求項１５】
当該透明シートが、前記特定波長吸収色素を含む前記層から構成される、請求項８乃至１４いずれか１項に記載の透明シート。
【請求項１６】
請求項８乃至１４いずれか１項に記載の透明シートと、剥離層とを含むシートであって、
前記透明シートが、
基材層と、
前記基材層と前記剥離層との間に設けられた粘着層と、
を有し、
前記基材層および前記粘着層から選択される１種以上が、前記特定波長吸収色素を含む前記層である、シート。
【発明の詳細な説明】
【技術分野】
【０００１】
本発明は、展示ケース、透明シートおよびシートに関する。
【背景技術】
【０００２】
光源装置に用いられる色補正フィルタに関する技術として、特許文献１（特開２０１４−１３０２５０）に記載のものがある。同文献には、白色ＬＥＤを光源とする装置に用いられ、特定の構造を有する第１の色材と４２０〜４８０ｎｍの波長域に吸収極大を有する第２の色材を含む色補正フィルタについて記載されている。そして、同文献に記載の技術によれば、演色性を高めつつ、色温度の変化を抑制するための色補正フィルタを提供することができるとされている。
【０００３】
また、電子ディスプレイ装置等の色純度を向上しようとする技術として、特許文献２（国際公開第２００６／０５４７００号）に記載のものがある。同文献には、特定の構造を有するスクアリリウム化合物を含有すること光学フィルターについて記載されており、かかる光学フィルターは、照明等の外光の反射による眩しさや、周囲の景観の映り込みにより、視認性が損なわれることを防ぐとともに、コントラスト、色純度等に優れており、黄緑領域の透過を抑制することで、特に緑の色純度が向上するとされている。また、同文献には、かかる光学フィルターをショーケース、額、フォトスタンド、パチンコ台ガラス、携帯ゲーム機、時計等の透明カバーに使用することができると記載されている。
【先行技術文献】
【特許文献】
【０００４】
【特許文献１】特開２０１４−１３０２５０号公報
【特許文献２】国際公開第２００６／０５４７００号
【発明の概要】
【発明が解決しようとする課題】
【０００５】
本発明者らは、展示ケース内に配置された展示品が自然かつ鮮やかで美しく見えるようにすることを考えた。しかしながら、上述した特許文献１および２に記載の技術は、かかる観点からなされたものではなかった。
【０００６】
そこで、本発明は、展示ケース内に配置された展示品が自然かつ鮮やかで美しく見えるようにする技術を提供する。
【課題を解決するための手段】
【０００７】
本発明によれば、以下に示す展示ケース、透明シートおよびシートが提供される。
［１］  透明な板状部材により構成される展示窓と、
特定波長吸収色素を含む層を有する透明シートと、
を備える展示ケースであって、
前記特定波長吸収色素が、波長域５００〜６００ｎｍに吸収極大波長を有する化合物であり、
前記展示窓を透過して当該展示ケースの外部に出射する光が、前記透明シートを透過した光を含むように前記透明シートが配置されており、
前記透明シートの透過率曲線は、波長域５００〜６００ｎｍに吸収極大波長を有し、前記吸収極大波長の透過率が６０％以下である、展示ケース。
［２］  前記特定波長吸収色素が、下記一般式（１）に示される化合物である、［１］に記載の展示ケース。
2020160153.tif 000003
（上記一般式（１）中、Ｒ1〜Ｒ8はそれぞれ独立に、水素原子、フッ素原子、シアノ基、直鎖、分岐または環状のアルキル基、直鎖、分岐または環状のアルコキシ基、置換または未置換のアリール基、直鎖、分岐または環状のハロゲノアルキル基、直鎖、分岐または環状のハロゲノアルコキシ基、直鎖、分岐または環状のアルコキシアルキル基を表す。ただしＲ1〜Ｒ8のすべてが水素原子であることはない。Ｍは２個の水素原子、２価の金属原子、または酸化金属原子を表す。）
［３］  前記透明シートが前記展示窓に隣接して配置されている、［１］または［２］に記載の展示ケース。
［４］  当該展示ケースの内部に設けられた光源装置を備える、［１］乃至［３］いずれか１項に記載の展示ケース。
［５］  前記透明シートが、前記光源装置と、当該展示ケース内に配置される展示品と、の間に設けられる、［４］に記載の展示ケース。
［６］  前記透明シートの材料が、エポキシ樹脂、ポリエステル樹脂、ポリオレフィン樹脂、ポリカーボネート樹脂、ポリ塩化ビニル樹脂、スチレン樹脂、アクリル樹脂、ポリアミド樹脂、セルロース樹脂、ウレタン樹脂およびシリコーン樹脂からなる群から選択される１種または２種以上を含む、［１］乃至［５］いずれか１項に記載の展示ケース。
［７］  前記特定波長吸収色素を含む前記層の厚みが、５μｍ以上５００μｍ以下である、［１］乃至［６］いずれか１項に記載の展示ケース。
［８］  透明な板状部材により構成される展示窓を備える展示ケースに配設される透明シートであって、
特定波長吸収色素を含む層を有し、
前記特定波長吸収色素が、波長域５００〜６００ｎｍに吸収極大波長を有する化合物であり、
前記展示窓を透過して前記展示ケースの外部に出射する光が、当該透明シートを透過した光を含むように配置されて演色効果を付与し、
当該透明シートの透過率曲線は、波長域５００〜６００ｎｍに吸収極大波長を有し、前記吸収極大波長の透過率が６０％以下である、透明シート。
［９］  前記特定波長吸収色素が、下記一般式（１）に示される化合物である、［８］に記載の透明シート。
2020160153.tif 000004
（上記一般式（１）中、Ｒ1〜Ｒ8はそれぞれ独立に、水素原子、フッ素原子、シアノ基、直鎖、分岐または環状のアルキル基、直鎖、分岐または環状のアルコキシ基、置換または未置換のアリール基、直鎖、分岐または環状のハロゲノアルキル基、直鎖、分岐または環状のハロゲノアルコキシ基、直鎖、分岐または環状のアルコキシアルキル基を表す。ただしＲ1〜Ｒ8のすべてが水素原子であることはない。Ｍは２個の水素原子、２価の金属原子、または酸化金属原子を表す。）
［１０］  前記展示窓に隣接して配置される、［８］または［９］に記載の透明シート。
［１１］  前記展示ケースが、前記展示ケースの内部に設けられた光源装置を備える、［８］乃至［１０］いずれか１項に記載の透明シート。
［１２］  前記光源装置と、前記展示ケース内に配置される展示品と、の間に設けられる、［１１］に記載の透明シート。
［１３］  当該透明シートの材料が、エポキシ樹脂、ポリエステル樹脂、ポリオレフィン樹脂、ポリカーボネート樹脂、ポリ塩化ビニル樹脂、スチレン樹脂、アクリル樹脂、ポリアミド樹脂、セルロース樹脂、ウレタン樹脂およびシリコーン樹脂からなる群から選択される１種または２種以上を含む、［８］乃至［１２］いずれか１項に記載の透明シート。
［１４］  前記特定波長吸収色素を含む前記層の厚みが、５μｍ以上５００μｍ以下である、［８］乃至［１３］いずれか１項に記載の透明シート。
［１５］  当該透明シートが、前記特定波長吸収色素を含む前記層から構成される、［８］乃至［１４］いずれか１項に記載の透明シート。
［１６］  ［８］乃至［１４］いずれか１項に記載の透明シートと、剥離層とを含むシートであって、
前記透明シートが、
基材層と、
前記基材層と前記剥離層との間に設けられた粘着層と、
を有し、
前記基材層および前記粘着層から選択される１種以上が、前記特定波長吸収色素を含む前記層である、シート。
【発明の効果】
【０００８】
本発明によれば、展示ケース内に配置された展示品が自然かつ鮮やかで美しく見えるようにする技術を提供することができる。
【図面の簡単な説明】
【０００９】
【図１】実施形態における展示ケースの構成を示す断面図である。
【図２】実施形態における展示ケースの構成を示す断面図である。
【図３】実施形態における展示ケースの構成を示す断面図である。
【図４】実施形態における展示ケースの構成を示す断面図である。
【図５】実施形態における透明シートの構成を示す断面図である。
【図６】実施形態における透明シートの構成を示す断面図である。
【図７】実施形態における透明シートの構成を示す断面図である。
【図８】実施形態における透明シートの構成を示す断面図である。
【図９】透明シートの分光透過率の測定結果を示す図である。
【図１０】透明シートの分光透過率の測定結果を示す図である。
【発明を実施するための形態】
【００１０】
以下に、本発明の実施形態について、図面を用いて説明する。なお、すべての図面において、同様な構成要素には共通の符号を付し、適宜説明を省略する。また、図は概略図であり、実際の寸法比率とは一致していない。
また、以下の各実施形態に記載の構成は、それぞれ組み合わせることができる。
【００１１】
（第１の実施形態）
図１は、本実施形態における展示ケースの構成を示す断面図である。
図１において、展示ケース１００は、透明な板状部材により構成される展示窓１０５と、特定波長吸収色素を含む層を有する透明シート（第１透明シート１１１）と、を備える。特定波長吸収色素は、波長域５００〜６００ｎｍに吸収極大波長を有する化合物である。展示窓１０５を透過して展示ケース１００の外部に出射する光が、第１透明シート１１１を透過した光を含むように第１透明シート１１１が配置されている。そして、第１透明シート１１１の透過率曲線は、波長域５００〜６００ｎｍに吸収極大波長を有し、かかる吸収極大波長の透過率が６０％以下である。
以下、展示ケース１００の構成をさらに具体的に説明する。
【００１２】
展示ケース１００内の所定の位置に展示品１０３が配置されている。展示品１０３の形状や種類に制限はなく、展示ケース１００の設置場所、設置目的、観察者１２１の属性等に応じて適宜選択できる。
展示ケース１００の内部環境は、空気等の気体雰囲気であってもよいし、たとえば展示ケース１００が水槽である場合のように、水等の液体が収容された環境であってもよい。
展示品１０３の彩度を際立たせる観点、展示品１０３をより自然かつ鮮やかで美しく見えるようにする観点からは、展示品１０３の好ましい例として、花、葉等を有する植物および造花等の人工植物；書物や絵画等の、白色または他の色の紙面に書かれた物品が挙げられる。
また、同様の観点から、展示ケース１００が水槽であってもよく、このときの展示品１０３として、たとえば、水生生物が挙げられ、さらに具体的には、活魚、熱帯魚等の魚類をはじめとする水生動物；水生植物が挙げられる。
【００１３】
展示窓１０５は、たとえばケース１０１の少なくとも一部に設けられている。図１に示した例では、ケース１０１を構成する１つの面に展示窓１０５が設けられており、観察者１２１が、展示窓１０５を介してケース１０１内の所定の位置に配置された展示品１０３を観察できるように配置されている。図１においては、展示窓１０５が平面である構成を例示したが、展示窓１０５の表面形状は平面には限られず、曲面、平面と曲面との組み合わせ等であってもよい。
展示窓１０５の材料として、たとえばガラス、透明樹脂が挙げられる。
【００１４】
観察者１２１が感じる展示品１０３の色の彩度を向上する観点、および、観察者１２１に展示品１０３をより自然かつ鮮やかで美しいと感じさせる観点から、第１透明シート１１１は、好ましくは展示窓１０５に隣接して配置されており、より好ましくは展示窓１０５に直接接して設けられている。
また、第１透明シート１１１は、展示窓１０５に接着していてもしていなくてもよく、たとえば、展示窓１０５に直接または所定の層を介して貼付されてもよい。
【００１５】
第１透明シート１１１が展示窓１０５に隣接して配置されるとき、第１透明シート１１１はケース１０１の内側に配置されてもよいし外側に配置されてもよい。第１透明シート１１１の着脱や交換を容易とする観点からは、ケース１０１の外側に第１透明シート１１１が配置されることが好ましい。
また、第１透明シート１１１は、展示窓１０５の一部に設けられていてもよいし全体に設けられていてもよい。展示品１０３の見えをより確実に向上する観点からは、第１透明シート１１１が展示窓１０５全体を覆うように設けられていることが好ましい。
【００１６】
第１透明シート１１１の形状として、たとえば所定の平面形状を有するフィルム状のものや板状のものが挙げられる。なお、第１透明シート１１１の構成成分等の具体的な構成については、後述する。
【００１７】
展示ケース１００内には、展示窓１０５を介して第１光源ＬＳ１からの光が出入りする。ここで、第１光源ＬＳ１からの光に制限はなく、たとえば太陽光等の自然光であってもよいし、各種光源から出射する光であってもよい。展示品１０３の彩度を向上する観点からは、第１光源ＬＳ１からの光が、自然光等の５００〜６００ｎｍの分光放射成分を多く含む光であることが好ましい。
【００１８】
展示ケース１００においては、第１透明シート１１１が後述する特定波長吸収色素を含む層を有する。そして、展示窓１０５を透過して展示ケース１００の外部に出射する光が、第１透明シート１１１を透過した光を含むように第１透明シート１１１が配置されている。さらに具体的には、図１においては、第１光源ＬＳ１からの光が展示窓１０５および第１透明シート１１１をこの順に透過し、展示品１０３にて反射し、反射光すなわち図１中のＬｉｇｈｔ１が、第１透明シート１１１および展示窓１０５をこの順に透過して、展示ケース１００の外側から展示ケース１００を観察する観察者１２１に達する。このため、本実施形態によれば、綜合的に展示品１０３の見えの好ましさが向上し、具体的には、自然かつ鮮やかで美しく見えるようにすることができる。また、本実施形態により、たとえば、展示ケース内に配置された展示品の質感が好ましく見えるようにすることも可能となる。
さらに具体的には、展示品１０３が多色により構成されている場合、各色（赤色、緑色、青色など。）の彩度が高まり、色が鮮やかに見えるようにすることも可能となる。また、たとえば、展示品１０３の中に黄ばみのある白色の部分がある場合には、黄ばみを抑制し、白色の白さ感を高めることも可能となる。また、たとえば展示品１０３の真新しさ感やしっとり感、高級感などの質感が好ましく見えるようにすることも可能となる。
【００１９】
以下の実施形態においては、第１の実施形態と異なる点を中心に説明する。
（第２の実施形態）
図２は、本実施形態における展示ケースの構成を示す断面図である。図２に示した展示ケース１０２の基本的な構成は、第１の実施形態にて前述した展示ケース１００と同様であるが、ケース１０１内に第２光源ＬＳ２がさらに設けられている点が異なる。すなわち、第２光源ＬＳ２は、展示ケース１０２の内部に設けられた内部光源である。
【００２０】
本実施形態においても、展示窓１０５を透過して展示ケース１０２の外部に出射する光が、第１透明シート１１１を透過した光を含むように第１透明シート１１１が配置されているため、第１の実施形態と同様の効果が得られる。
また、展示ケース１０２が第２光源ＬＳ２を備えるため、たとえば、展示品１０３の種類に応じてより多彩な演色性を付与することも可能となる。
【００２１】
（第３の実施形態）
図３は、本実施形態における展示ケースの構成を示す断面図である。図３に示した展示ケース１１０の基本的な構成は、第２の実施形態において前述した展示ケース１０２と同様であるが、第２光源ＬＳ２と展示品１０３との間に設けられた第２透明シート１１３をさらに有する点で異なる。すなわち、展示ケース１１０における透明シートは、第１透明シート１１１および第２透明シート１１３を含む。
【００２２】
第２透明シート１１３の材料は、第１透明シート１１１の材料と同じであってもよいし異なっていてもよい。また、第２透明シート１１３の厚さ、層構成等についても、第１透明シート１１１と同じであってもよいし、異なっていてもよい。
なお、第２透明シート１１３の配置、構成成分等の具体的な構成については、第４の実施形態以降の実施形態にて後述する。
【００２３】
本実施形態においても、第１および第２の実施形態で前述の効果および第４の実施形態で後述する効果と同様の効果が得られる。
また、本実施形態においては、透明シートが第１透明シート１１１および第２透明シート１１３を含むため、たとえば、展示品１０３の見え方によりいっそう多彩な演色性を付与することも可能となる。
【００２４】
（第４の実施形態）
図４は、本実施形態における展示ケースの構成を示す断面図である。図４に示した展示ケース１２０の基本的な構成は、第２の実施形態において前述した展示ケース１０２と同様であるが、展示窓１０５に隣接して配置された第１透明シート１１１にかえて、第２光源ＬＳ２と展示品１０３との間に設けられた第２透明シート１１３を有する点が異なる。
【００２５】
図４に示した例では、第２光源ＬＳ２が板状部材であり、第２透明シート１１３が第２光源ＬＳ２の外側に第２光源ＬＳ２を覆うように設けられている。
第２透明シート１１３は、たとえば第２光源ＬＳ２の外側に隣接して配置されており、より好ましくは第２光源ＬＳ２の外側に直接接して設けられている。また、照明条件や展示物に応じて透明シートの有無や種類を変更することが可能なようにする観点から、第２透明シート１１３は第２光源ＬＳ２から離隔して設けられることが好ましい。
【００２６】
本実施形態においては、展示窓１０５を透過して展示ケース１２０の外部に出射する光が、第２透明シート１１３を透過した光、すなわち図４中のＬｉｇｈｔ２を含むように第２透明シート１１３が配置されているため、観察者１２１に展示ケース１２０内の展示品１０３が自然かつ鮮やかで美しく見えるようにすることができる。
【００２７】
次に、以上の実施形態および本発明における他の実施形態における透明シートの構成を詳細に説明する。
【００２８】
（透明シート）
（第５の実施形態）
図５は、本実施形態における透明シートの構成を示す断面図である。
図５において、透明シート２００は、透明な板状部材により構成される展示窓を備える展示ケースに配設される透明シートであって、特定波長吸収色素を含む層を有し、特定波長吸収色素が、波長域５００〜６００ｎｍに吸収極大波長を有する化合物であり、展示窓を透過して展示ケースの外部に出射する光が、透明シート２００を透過した光を含むように配置されて演色効果を付与するものである。透明シート２００の透過率曲線は、波長域５００〜６００ｎｍに吸収極大波長を有し、かかる吸収極大波長の透過率が６０％以下である。ここで、透明シート２００の透過率曲線における吸収極大波長と、特定波長吸収色素の吸収極大波長とは好ましくは一致するが、これらの間にたとえば±５ｎｍ程度の波長シフトがあってもよい。吸収極大波長は、分光光度計により測定することができる。
図５に示した例では、透明シート２００が特定波長吸収色素を含む層から構成されている。
【００２９】
透明シート２００は、観察者１２１が感じる展示品１０３の色の彩度を向上する観点、および、観察者１２１に展示品１０３をより自然かつ鮮やかで美しいと感じさせる観点から、好ましくは展示窓１０５に隣接して配置される。
ここで、透明シート２００が適用される展示ケースは、展示ケースの内部に設けられた光源装置を備えるものであってもよい。このような展示ケースとして、たとえば、図２〜図４を参照して前述した第２光源ＬＳ２を備えるものが挙げられる。
また、展示ケースが光源装置を備えるとき、観察者１２１が感じる展示品１０３の色の彩度を向上する観点、および、観察者１２１に展示品１０３をより自然かつ鮮やかで美しいと感じさせる観点から、透明シート２００は、好ましくは光源装置と展示ケース内に配置される展示品１０３と、の間に設けられる。
【００３０】
特定波長吸収色素は、展示品１０３の見えをより自然かつ鮮やかで美しくする観点、および、展示品１０３の質感が好ましく見えるようにする観点から、好ましくは下記一般式（１）に示される化合物を含み、より好ましくは下記一般式（１）に示される化合物である。
【００３１】
【化１】
2020160153.tif 000005
【００３２】
（上記一般式（１）中、Ｒ1〜Ｒ8はそれぞれ独立に、水素原子、フッ素原子、シアノ基、直鎖、分岐または環状のアルキル基、直鎖、分岐または環状のアルコキシ基、置換または未置換のアリール基、直鎖、分岐または環状のハロゲノアルキル基、直鎖、分岐または環状のハロゲノアルコキシ基、直鎖、分岐または環状のアルコキシアルキル基を表す。ただしＲ1〜Ｒ8のすべてが水素原子であることはない。Ｍは２個の水素原子、２価の金属原子、または酸化金属原子を表す。）
【００３３】
一般式（１）におけるＲ1〜Ｒ8のうち、直鎖、分岐または環状のアルキル基の具体例としては、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｔｅｒｔ−ペンチル基、１，２−ジメチルプロピル基、１−メチルブチル基、２−メチルブチル基、ｎ−ヘキシル基、１−メチルペンチル基、２−メチルペンチル基、４−メチルペンチル基、４−メチル−２−ペンチル基、１，２−ジメチルブチル基、２，３−ジメチルブチル基、３，３−ジメチルブチル基、１−エチルブチル基、２−エチルブチル基、ｎ−ヘプチル基、１−メチルヘキシル基、３−メチルヘキシル基、５−メチルヘキシル基、２，４−ジメチルペンチル基、シクロヘキシルメチル基、ｎ−オクチル基、ｔｅｒｔ−オクチル基、１−メチルヘプチル基、２−エチルヘキシル基、２−プロピルペンチル基、２，５−ジメチルヘキシル基、２，５，５−トリメチルヘキシル基、ｎ−ノニル基、２，２−ジメチルヘプチル基、２，６−ジメチル−４−ヘプチル基、３，５，５−トリメチルヘキシル基、ｎ−デシル基、４−エチルオクチル基、ｎ−ウンデシル基、１−メチルデシル基、ｎ−ドデシル基、１，３，５，７−テトラメチルオクチル基、ｎ−トリデシル基、１−ヘキシルヘプチル基、ｎ−テトラデシル基、ｎ−ペンタデシル基、ｎ−ヘキサデシル基、ｎ−ヘプタデシル基、ｎ−オクタデシル基、ｎ−エイコシル基、ｎ−トリコシル基、ｎ−テトラコシル基、シクロペンチル基、シクロヘキシル基、４−メチルシクロヘキシル基、４−ｔｅｒｔ−ブチルシクロヘキシル基、シクロヘプチル基、シクロオクチル基が挙げられる。
【００３４】
一般式（１）におけるＲ1〜Ｒ8のうち、直鎖、分岐または環状のアルコキシ基の具体例として、メトキシ基、エトキシ基、ｎ−プロポキシ基、イソプロポキシ基、ｎ−ブトキシ基、イソブトキシ基、ｓｅｃ−ブトキシ基、ｎ−ペンチルオキシ基、ネオペンチルオキシ基、シクロペンチルオキシ基、ｎ−ヘキシルオキシ基、３，３−ジメチルブチルオキシ基、２−エチルブチルオキシ基、シクロヘキシルオキシ基、ｎ−ヘプチルオキシ基、ｎ−オクチルオキシ基、２−エチルヘキシルオキシ基、ｎ−ノニルオキシ基、ｎ−デシルオキシ基、ｎ−ウンデシルオキシ基、ｎ−ドデシルオキシ基、ｎ−トリデシルオキシ基、ｎ−テトラデシルオキシ基、ｎ−ペンタデシルオキシ基、ｎ−ヘキサデシルオキシ基、ｎ−ヘプタデシルオキシ基、ｎ−オクタデシルオキシ基、ｎ−エイコシルオキシ基、ｎ−トリコシルオキシ基、ｎ−テトラコシルオキシ基が挙げられる。
【００３５】
一般式（１）中、アリール基の具体例としては、フェニル基、ナフチル基などの炭素環式芳香族基；およびフリル基、チエニル基、ピリジル基などの複素環式芳香族基が挙げられる。アリール基は、好ましくは炭素環式芳香族基である。
一般式（１）におけるＲ1〜Ｒ8のうち、置換または未置換のアリール基の具体例として、フェニル基、２−メチルフェニル基、３−メチルフェニル基、４−メチルフェニル基、３−エチルフェニル基、４−エチルフェニル基、４−ｎ−プロピルフェニル基、４−イソプロピルフェニル基、４−ｎ−ブチルフェニル基、４−イソブチルフェニル基、４−ｔｅｒｔ−ブチルフェニル基、４−ｎ−ペンチルフェニル基、４−イソペンチルフェニル基、４−ｔｅｒｔ−ペンチルフェニル基、４−ｎ−ヘキシルフェニル基、４−シクロヘキシルフェニル基、４−ｎ−ヘプチルフェニル基、４−ｎ−オクチルフェニル基、４−ｎ−ノニルフェニル基、４−ｎ−デシルフェニル基、４−ｎ−ウンデシルフェニル基、４−ｎ−ドデシルフェニル基、４−ｎ−テトラデシルフェニル基、４−ｎ−ヘキサデシルフェニル基、４−ｎ−オクタデシルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、３，４，５−トリメチルフェニル基、２，３，５，６−テトラメチルフェニル基、５−インダニル基、１，２，３，４−テトラヒドロ−５−ナフチル基、１，２，３，４−テトラヒドロ−６−ナフチル基、２−メトキシフェニル基、３−メトキシフェニル基、４−メトキシフェニル基、３−エトキシフェニル基、４−エトキシフェニル基、４−ｎ−プロポキシフェニル基、４−イソプロポキシフェニル基、４−ｎ−ブトキシフェニル基、４−イソブトキシフェニル基、４−ｎ−ペンチルオキシフェニル基、４−ｎ−ヘキシルオキシフェニル基、４−シクロヘキシルオキシフェニル基、４−ｎ−ヘプチルオキシフェニル基、４−ｎ−オクチルオキシフェニル基、４−ｎ−ノニルオキシフェニル基、４−ｎ−デシルオキシフェニル基、４−ｎ−ウンデシルオキシフェニル基、４−ｎ−ドデシルオキシフェニル基、４−ｎ−テトラデシルオキシフェニル基、４−ｎ−ヘキサデシルオキシフェニル基、４−ｎ−オクタデシルオキシフェニル基、２，３−ジメトキシフェニル基、２，４−ジメトキシフェニル基、２，５−ジメトキシフェニル基、３，４−ジメトキシフェニル基、３，５−ジメトキシフェニル基、３，５−ジエトキシフェニル基、２−メトキシ−４−メチルフェニル基、２−メトキシ−５−メチルフェニル基、３−メトキシ−４−メチルフェニル基、２−メチル−４−メトキシフェニル基、３−メチル−４−メトキシフェニル基、３−メチル−５−メトキシフェニル基、２−フルオロフェニル基、３−フルオロフェニル基、４−フルオロフェニル基、２−クロロフェニル基、３−クロロフェニル基、４−クロロフェニル基、４−ブロモフェニル基、４−トリフルオロメチルフェニル基、３−トリフルオロメチルフェニル基、２，４−ジフルオロフェニル基、３，５−ジフルオロフェニル基、２，４−ジクロロフェニル基、３，４−ジクロロフェニル基、３，５−ジクロロフェニル基、２−メチル−４−クロロフェニル基、２−クロロ−４−メチルフェニル基、３−クロロ−４−メチルフェニル基、２−クロロ−４−メトキシフェニル基、３−メトキシ−４−フルオロフェニル基、３−メトキシ−４−クロロフ���ニル基、３−フルオロ−４−メトキシフェニル基、４−フェニルフェニル基、３−フェニルフェニル基、２−フェニルフェニル基、４−（４'−メチルフェニル）フェニル基、４−（４'−メトキシフェニル）フェニル基、３，５−ジフェニルフェニル基、１−ナフチル基、２−ナフチル基、４−メチル−１−ナフチル基、４−エトキシ−１−ナフチル基、６−ｎ−ブチル−２−ナフチル基、６−メトキシ−２−ナフチル基、７−エトキシ−２−ナフチル基、２−フリル基、２−チエニル基、３−チエニル基、２−ピリジル基、３−ピリジル基、４−ピリジル基、４−アミノフェニル基、３−アミノフェニル基、２−アミノフェニル基、４−（Ｎ−メチルアミノ）フェニル基、３−（Ｎ−メチルアミノ）フェニル基、４−（Ｎ−エチルアミノ）フェニル基、２−（Ｎ−イソプロピルアミノ）フェニル基、４−（Ｎ−ｎ−ブチルアミノ）フェニル基、２−（Ｎ−ｎ−ブチルアミノ）フェニル基、４−（Ｎ−ｎ−オクチルアミノ）フェニル基、４−（Ｎ−ｎ−ドデシルアミノ）フェニル基、４−Ｎ−ベンジルアミノフェニル基、４−Ｎ−フェニルアミノフェニル基、２−Ｎ−フェニルアミノフェニル基、４−（Ｎ，Ｎ−ジメチルアミノ）フェニル基、３−（Ｎ，Ｎ−ジメチルアミノ）フェニル基、２−（Ｎ，Ｎ−ジメチルアミノ）フェニル基、４−（Ｎ，Ｎ−ジエチルアミノ）フェニル基、２−（Ｎ，Ｎ−ジエチルアミノ）フェニル基、４−（Ｎ，Ｎ−ジ−ｎ−ブチルアミノ）フェニル基、４−（Ｎ，Ｎ−ジ−ｎ−ヘキシルアミノ）フェニル基、４−（Ｎ−シクロヘキシル−Ｎ−メチルアミノ）フェニル基、４−（Ｎ，Ｎ−ジエチルアミノ）−１−ナフチル基、４−ピロリジノフェニル基、４−ピペリジノフェニル基、４−モルフォリノフェニル基、４−ピロリジノ−１−ナフチル基、４−（Ｎ−ベンジル−Ｎ−メチルアミノ）フェニル基、４−（Ｎ−ベンジル−Ｎ−フェニルアミノ）フェニル基、４−（Ｎ−メチル−Ｎ−フェニルアミノ）フェニル基、４−（Ｎ−エチル−Ｎ−フェニルアミノ）フェニル基、４−（Ｎ−ｎ−ブチル−Ｎ−フェニルアミノ）フェニル基、４−（Ｎ，Ｎ−ジフェニルアミノ）フェニル基、２−（Ｎ，Ｎ−ジフェニルアミノ）フェニル基、４−〔Ｎ，Ｎ−ジ（４'−メチルフェニル）アミノ〕フェニル基、４−〔Ｎ，Ｎ−ジ（３'−メチルフェニル）アミノ〕フェニル基、４−〔Ｎ，Ｎ−ジ（４'−エチルフェニル）アミノ〕フェニル基、４−〔Ｎ，Ｎ−ジ（４'−ｔｅｒｔ−ブチルフェニル）アミノ〕フェニル基、４−〔Ｎ，Ｎ−ジ（４'−ｎ−ヘキシルフェニル）アミノ〕フェニル基、４−〔Ｎ，Ｎ−ジ（４'−メトキシフェニル）アミノ〕フェニル基、４−〔Ｎ，Ｎ−ジ（４'−エトキシフェニル）アミノ〕フェニル基、４−〔Ｎ，Ｎ−ジ（４'−ｎ−ブトキシフェニル）アミノ〕フェニル基、４−〔Ｎ，Ｎ−ジ（４'−ｎ−ヘキシルオキシフェニル）アミノ〕フェニル基、４−〔Ｎ，Ｎ−ジ（１'−ナフチル）アミノ〕フェニル基、４−〔Ｎ，Ｎ−ジ（２'−ナフチル）アミノ〕フェニル基、４−〔Ｎ−フェニル−Ｎ−（３'−メチルフェニル）アミノ〕フェニル基、４−〔Ｎ−フェニル−Ｎ−（４'−メチルフェニル）アミノ〕フェニル基、４−〔Ｎ−フェニル−Ｎ−（４'−オクチルフェニル）アミノ〕フェニル基、４−〔Ｎ−フェニル−Ｎ−（４'−メトキシフェニル）アミノ〕フェニル基、４−〔Ｎ−フェニル−Ｎ−（４'−エトキシフェニル）アミノ〕フェニル基、４−〔Ｎ−フェニル−Ｎ−（４'−ｎ−ヘキシルオキシフェニル）アミノ〕フェニル基、４−〔Ｎ−フェニル−Ｎ−（４'−フルオロフェニル）アミノ〕フェニル基、４−〔Ｎ−フェニル−Ｎ−（１'−ナフチル）アミノ〕フェニル基、４−〔Ｎ−フェニル−Ｎ−（２'−ナフチル）アミノ〕フェニル基、４−〔Ｎ−フェニル−Ｎ−（４'−フェニルフェニル）アミノ〕フェニル基、４−（Ｎ，Ｎ−ジフェニルアミノ）−１−ナフチル基、６−（Ｎ，Ｎ−ジフェニルアミノ）−２−ナフチル基、４−（Ｎ−カルバゾリイル）フェニル基、４−（Ｎ−フェノキサジイル）フェニル基が挙げられる。
【００３６】
一般式（１）におけるＲ1〜Ｒ8のうち、直鎖、分岐または環状のハロゲノアルキル基の具体例として、フルオロメチル基、３−フルオロプロピル基、６−フルオロヘキシル基、８−フルオロオクチル基、トリフルオロメチル基、１，１−ジヒドロ−パーフルオロエチル基、１，１−ジヒドロ−パーフルオロ−ｎ−プロピル基、１，１，３−トリヒドロ−パーフルオロ−ｎ−プロピル基、２−ヒドロ−パーフルオロ−２−プロピル基、１，１−ジヒドロ−パーフルオロ−ｎ−ブチル基、１，１−ジヒドロ−パーフルオロ−ｎ−ペンチル基、１，１−ジヒドロ−パーフルオロ−ｎ−ヘキシル基、６−フルオロヘキシル基、４−フルオロシクロヘキシル基、１，１−ジヒドロ−パーフルオロ−ｎ−オクチル基、１，１−ジヒドロ−パーフルオロ−ｎ−デシル基、１，１−ジヒドロ−パーフルオロ−ｎ−ドデシル基、１，１−ジヒドロ−パーフルオロ−ｎ−テトラデシル基、１，１−ジヒドロ−パーフルオロ−ｎ−ヘキサデシル基、パーフルオロエチル基、パーフルオロ−ｎ−プロピル基、パーフルオロ−ｎ−ペンチル基、パーフルオロ−ｎ−ヘキシル基、２，２−ビス（トリフルオロメチル）プロピル基等のフルオロアルキル基；ジクロロメチル基、２−クロロエチル基、３−クロロプロピル基、４−クロロシクロヘキシル基、７−クロロヘプチル基、８−クロロオクチル基、２，２，２−トリクロロエチル基等のクロロアルキル基が挙げられる。
【００３７】
一般式（１）におけるＲ1〜Ｒ8のうち、直鎖、分岐または環状のハロゲノアルコキシ基の具体例として、フルオロメチルオキシ基、３−フルオロプロピルオキシ基、６−フルオロヘキシルオキシ基、８−フルオロオクチルオキシ基、トリフルオロメチルオキシ基、１，１−ジヒドロ−パーフルオロエチルオキシ基、１，１−ジヒドロ−パーフルオロ−ｎ−プロピルオキシ基、１，１，３−トリヒドロ−パーフルオロ−ｎ−プロピルオキシ基、２−ヒドロ−パーフルオロ−２−プロピルオキシ基、１，１−ジヒドロ−パーフルオロ−ｎ−ブチルオキシ基、１，１−ジヒドロ−パーフルオロ−ｎ−ペンチルオキシ基、１，１−ジヒドロ−パーフルオロ−ｎ−ヘキシルオキシ基、６−フルオロヘキシルオキシ基、４−フルオロシクロヘキシルオキシ基、１，１−ジヒドロ−パーフルオロ−ｎ−オクチルオキシ基、１，１−ジヒドロ−パーフルオロ−ｎ−デシルオキシ基、１，１−ジヒドロ−パーフルオロ−ｎ−ドデシルオキシ基、１，１−ジヒドロ−パーフルオロ−ｎ−テトラデシルオキシ基、１，１−ジヒドロ−パーフルオロ−ｎ−ヘキサデシルオキシ基、パーフルオロエチルオキシ基、パーフルオロ−ｎ−プロピルオキシ基、パーフルオロ−ｎ−ペンチルオキシ基、パーフルオロ−ｎ−ヘキシルオキシ基、２，２−ビス（トリフルオロメチル）プロピルオキシ基等のフルオロアルコキシル基；ジクロロメチルオキシ基、２−クロロエチルオキシ基、３−クロロプロピルオキシ基、４−クロロシクロヘキシルオキシ基、７−クロロヘプチルオキシ基、８−クロロオクチルオキシ基、２，２，２−トリクロロエチルオキシ基等のクロロアルコキシル基が挙げられる。
【００３８】
一般式（１）におけるＲ1〜Ｒ8のうち、直鎖、分岐または環状のアルコキシアルキル基の具体例として、メトキシメチル基、エトキシメチル基、ｎ−ブトキシメチル基、ｎ−ペンチルオキシメチル基、ｎ−ヘキシルオキシメチル基、（２−エチルブチルオキシ）メチル基、ｎ−ヘプチルオキシメチル基、ｎ−オクチルオキシメチル基、ｎ−デシルオキシメチル基、ｎ−ドデシルオキシメチル基、２−メトキシエチル基、２−エトキシエチル基、２−ｎ−プロポキシエチル基、２−イソプロポキシエチル基、２−ｎ−ブトキシエチル基、２−ｎ−ペンチルオキシエチル基、２−ｎ−ヘキシルオキシエチル基、２−（２'−エチルブチルオキシ）エチル基、２−ｎ−ヘプチルオキシエチル基、２−ｎ−オクチルオキシエチル基、２−（２'−エチルヘキシルオキシ）エチル基、２−ｎ−デシルオキシエチル基、２−ｎ−ドデシルオキシエチル基、２−ｎ−テトラデシルオキシエチル基、２−シクロヘキシルオキシエチル基、２−メトキシプロピル基、３−メトキシプロピル基、３−エトキシプロピル基、３−ｎ−プロポキシプロピル基、３−イソプロポキシプロピル基、３−ｎ−ブトキシプロピル基、３−ｎ−ペンチルオキシプロピル基、３−ｎ−ヘキシルオキシプロピル基、３−（２'−エチルブトキシ）プロピル基、３−ｎ−オクチルオキシプロピル基、３−（２'−エチルヘキシルオキシ）プロピル基、３−ｎ−デシルオキシプロピル基、３−ｎ−ドデシルオキシプロピル基、３−ｎ−テトラデシルオキシプロピル基、３−シクロヘキシルオキシプロピル基、４−メトキシブチル基、４−エトキシブチル基、４−ｎ−プロポキシブチル基、４−イソプロポキシブチル基、４−ｎ−ブトキシブチル基、４−ｎ−ヘキシルオキシブチル基、４−ｎ−オクチルオキシブチル基、４−ｎ−デシルオキシブチル基、４−ｎ−ドデシルオキシブチル基、５−メトキシペンチル基、５−エトキシペンチル基、５−ｎ−プロポキシペンチル基、５−ｎ−ペンチルオキシペンチル基、６−メトキシヘキシル基、６−エトキシヘキシル基、６−イソプロポキシヘキシル基、６−ｎ−ブトキシヘキシル基、６−ｎ−ヘキシルオキシヘキシル基、６−ｎ−デシルオキシヘキシル基、４−メトキシシクロヘキシル基、７−メトキシヘプチル基、７−エトキシヘプチル基、７−イソプロポキシヘプチル基、８−メトキシオクチル基、８−エトキシオクチル基、９−メトキシノニル基、９−エトキシノニル基、１０−メトキシデシル基、１０−エトキシデシル基、１０−ｎ−ブトキシデシル基、１１−メトキシウンデシル基、１１−エトキシウンデシル基、１２−メトキシドデシル基、１２−エトキシドデシル基、１２−イソプロポキシドデシル基、１４−メトキシテトラデシル基、テトラヒドロフルフリル基などの直鎖、分岐または環状のアルコキシアルキル基が挙げられる。
【００３９】
一般式（１）中、Ｒ1〜Ｒ8は、好ましくは、それぞれ独立に、水素原子、フッ素原子、シアノ基、炭素数１〜２４の直鎖、分岐または環状のアルキル基、炭素数１〜２４の直鎖、分岐または環状のアルコキシ基、炭素数４〜３０の置換または未置換のアリール基、炭素数１〜２４の直鎖、分岐または環状のハロゲノアルコキシ基、あるいは、炭素数２〜２４の直鎖、分岐または環状のアルコキシアルキル基を表す。
【００４０】
一般式（１）中、Ｒ1〜Ｒ8は、より好ましくは、それぞれ独立に、水素原子、フッ素原子、シアノ基、炭素数１〜１６の直鎖、分岐または環状のアルキル基、炭素数１〜１６の直鎖、分岐または環状のアルコキシ基、炭素数４〜２４の置換または未置換のアリール基、炭素数１〜１６の直鎖、分岐または環状のハロゲノアルコキシ基、あるいは、炭素数２〜１６の直鎖、分岐または環状のアルコキシアルキル基を表す。
【００４１】
一般式（１）で表される化合物において、さらに好ましくは、Ｒ1、Ｒ3、Ｒ5、Ｒ7が、それぞれ独立に、炭素数１〜１０の直鎖または分岐のアルキル基あるいは炭素数６〜１６の置換または未置換のアリール基であり、Ｒ2、Ｒ4、Ｒ6、Ｒ8が、それぞれ独立に、水素原子、フッ素原子、シアノ基、炭素数１〜１０の直鎖または分岐のアルキル基あるいは炭素数１〜１０の直鎖または分岐のハロゲノアルコキシ基を表す。ただし、このとき、好ましくはＲ1〜Ｒ8のすべてがアルキル基であることはない。
一般式（１）で表される化合物において、さらにより好ましくは、Ｒ1とＲ2、Ｒ3とＲ4、Ｒ5とＲ6、Ｒ7とＲ8、の各組み合せにおいて、いずれか一方が水素原子、他方が炭素数１〜１０の直鎖または分岐のアルキル基であり、よりいっそう好ましくは、Ｒ1、Ｒ3、Ｒ5、Ｒ7が、それぞれ独立に、炭素数１〜１０の直鎖または分岐のアルキル基であり、Ｒ2、Ｒ4、Ｒ6、Ｒ8が水素原子である。
【００４２】
次に、一般式（１）におけるＭについて説明する。Ｍは、２個の水素原子、２価の金属原子、または酸化金属原子を表し、好ましくは２価の金属原子または酸化金属原子である。
Ｍで表される２価の金属原子の具体例として、Ｃｕ、Ｚｎ、Ｆｅ、Ｃｏ、Ｎｉ、Ｒｕ、Ｒｈ、Ｐｄ、Ｐｔ、Ｍｎ、Ｍｇ、Ｔｉ、Ｂｅ、Ｃａ、Ｂａ、Ｃｄ、Ｈｇ、Ｐｂ、Ｓｎが挙げられる。
Ｍで表される酸化金属原子の具体例として、ＶＯ、ＭｎＯ、ＴｉＯが挙げられる。
一般式（１）中、Ｍは、好ましくはＣｕ、Ｚｎ、Ｆｅ、Ｃｏ、Ｎｉ、Ｐｄ、Ｍｎ、Ｍｇ、ＶＯおよびＴｉＯからなる群から選択される１種であり、より好ましくはＣｕ、Ｎｉ、ＰｄまたはＶＯであり、さらに好ましくは、ＣｕまたはＶＯである。
【００４３】
なお、本明細書における一般式（１）で表される化合物の範囲の開示には、Ｒ1〜Ｒ8の好ましい範囲や具体例の記載と、Ｍの好ましい範囲や具体例の記載とを任意に組み合わせて得られる範囲すべて含まれるものとする。
【００４４】
一般式（１）に示した化合物は、たとえば、特開２０１１−２２１４５６号公報に記載の方法を用いて製造することができる。
【００４５】
また、特定波長吸収色素は、一般式（１）に示した化合物以外の化合物を含んでもよい。
【００４６】
透明シート２００中の特定波長吸収色素の濃度は、透明シート２００の演色効果を向上する観点から、透明シート２００において特定波長吸収色素を含む層を構成する組成物の全組成に対し、好ましくは１０ｐｐｍ以上であり、より好ましくは５０ｐｐｍ以上であり、また、たとえば１００ｐｐｍ以上または１０００ｐｐｍ以上であってもよい。
また、透明シート２００の過度の着色を抑制する観点から、透明シート２００中の特定波長吸収色素の濃度は、透明シート２００において特定波長吸収色素を含む層を構成する組成物の全組成に対し、好ましくは３０質量％以下であり、より好ましくは２０質量％以下、さらに好ましくは１０質量％以下である。
【００４７】
透明シート２００の材料としては、特定波長吸収色素の他、基材を構成する材料が挙げられ、かかる材料として、たとえば透明な樹脂が挙げられる。
透明シート２００の材料は、好ましくはエポキシ樹脂、ポリエステル樹脂、ポリオレフィン樹脂、ポリカーボネート樹脂、ポリ塩化ビニル樹脂、スチレン樹脂、アクリル樹脂、ポリアミド樹脂、セルロース樹脂、ウレタン樹脂およびシリコーン樹脂からなる群から選択される１種または２種以上を含み、より好ましくはポリカーボネート樹脂およびエポキシ樹脂からなる群から選択される１種以上を含む。
【００４８】
また、透明シート２００の材料は、一般式（１）に示した化合物および樹脂以外の材料を含んでもよい。
たとえば、透明シート２００は、波長域５００〜６００ｎｍ以外の波長域に吸収極大波長を有する化合物、および紫外線吸収剤ならびに酸化防止剤から選択される１種または２種以上を含んでもよい。
【００４９】
透明シート２００が波長域５００〜６００ｎｍ以外の波長域に吸収極大波長を有する化合物を含むとき、色素の具体例としては限定されないが、好ましくはたとえば、特開２０１１−２３７７３０号公報に記載のポルフィリン化合物や、特許第６１１７１９２号に記載の、アゾ系化合物、キノフタロン系化合物、アントラキノン系化合物等が挙げられる。ここで、波長域５００〜６００ｎｍ以外の波長域に吸収極大波長を有する化合物は、前述の特定波長吸収色素であってもよいし、特定波長吸収色素以外の色素であってもよい。
【００５０】
透明シート２００が紫外線防止剤を含むとき、紫外線吸収剤は、前述の特定波長吸収色素以外の物質である。紫外線防止剤の具体例として、ベンゾトリアゾール系紫外線吸収剤、ベンゾフェノン系紫外線吸収剤、トリアジン系紫外線吸収剤、シアノアクリレート系紫外線吸収剤、サリチル酸エステル系紫外線吸収剤からなる群から選択される１または２以上が挙げられる。
【００５１】
また、透明シート２００が酸化防止剤を含むとき、酸化防止剤の具体例として、フェノール系酸化防止剤、リン系酸化防止剤、イオウ系酸化防止剤、アミン系酸化防止剤からなる群から選択される１または２以上が挙げられる。
【００５２】
特定波長吸収色素を含む層の厚み、すなわち、図５においては透明シート２００の厚みは、安定してシートを製造する観点、および、展示品１０３の見えを安定的に向上させる観点から、好ましくは５μｍ以上であり、より好ましくは１０μｍ以上、さらに好ましくは２０μｍ以上である。
また、透明シート２００の薄型化および軽量化の観点から、特定波長吸収色素を含む層の厚みは、好ましくは５００μｍ以下であり、より好ましくは４００μｍ以下、さらに好ましくは３００μｍ以下であり、また、たとえば２００μｍ以下または１００μｍ以下であってもよい。
【００５３】
また、図５には、透明シート２００が特定波長吸収色素を含む層から構成される例を示したが、透明シート２００は、特定波長吸収色素を含む層と、前述の他の色素を含む層とを含む積層体であってもよい。
また、図５に示した透明シート２００と、前述の他の色素を含む透明シートとを別の部材として準備し、これらを積層して用いることもできる。
【００５４】
次に、透明シート２００の製造方法を説明する。
透明シート２００は、たとえば、基材の原料、特定波長吸収色素および適宜他の成分を含む組成物を調製し、得られた組成物を所定の方法で塗工し、硬化することにより得ることができる。
たとえば、組成物を他の支持体に所定の厚さに塗工し、硬化した後、支持体から分離することにより、透明シート２００を得ることもできる。
また、展示ケースに配設された展示窓１０５に、組成物を所定の厚さに塗工し、硬化することにより、展示窓１０５に接して透明シート２００を形成することもできる。
塗工方法および硬化方法として、それぞれ、公知の方法を採用することができ、たとえば、スプレーコート法、インクジェット法、ディスペンサーコート法、スリットコート法、ロールコート法、スピンコート法、ディップコート法を用いることができる。
【００５５】
得られる透明シート２００は、たとえば、フィルム状、板状のものとすることができる。
また、得られる透明シート２００の形状として、たとえば所定の形状および大きさを有する平板シート、所定の幅を有する巻回シートが挙げられる。
得られた透明シート２００は、第１〜第４の実施形態において前述した第１透明シート１１１または第２透明シート１１３として好適に用いられる。
【００５６】
また、透明シート２００の施工方法は、展示品１０３の見えをより安定的に向上する観点、および、透明シート２００の着脱や交換を容易にする観点から、たとえば、透明シート２００を準備する工程と、展示ケースの展示窓１０５に透明シート２００を貼付する工程と、を含む。
【００５７】
本実施形態において、透明シート２００は、特定波長吸収色素を含んでいるため、展示ケースからの出射光に好ましい演色効果を付与することができる。具体的には、展示ケースに透明シート２００を設けることにより、綜合的に展示ケース内の展示品の見えの好ましさが向上し、具体的には、自然かつ鮮やかで美しく見えるようにすることができる。また、展示ケースに透明シート２００を設けることにより、たとえば、展示ケース内に配置された展示品の質感が好ましく見えるようにすることも可能となる。
さらに具体的には、展示品が多色により構成されている場合、各色（赤色、緑色、青色など。）の彩度が高まり、色が鮮やかに見えるようにすることも可能となる。また、たとえば、展示品の中に黄ばみのある白色の部分がある場合には、黄ばみを抑制し、白色の白さ感を高めることも可能となる。また、たとえば展示品の真新しさ感やしっとり感、高級感などの質感が好ましく見えるようにすることも可能となる。
【００５８】
以下、透明シートについては第５の実施形態と異なる構成を中心に説明する。
（第６の実施形態）
図６は、本実施形態における透明シートの構成を示す断面図である。図６に示した透明シート２３０の基本構成は図５に示した透明シート２００と同様であるが、透明シート２３０は、特定波長吸収色素を含まない層をさらに有する。具体的には、透明シート２３０は、第１基材層２０９、色素層２０７および第２基材層２１１をこの順に積層してなる。第１基材層２０９および第２基材層２１１は、いずれも、特定波長吸収色素を含まない層である。色素層２０７は、第１基材層２０９および第２基材層２１１の間に配置されてこれらに挟持されており、たとえばこれらに接合されている。
【００５９】
色素層２０７には、図５を参照して前述した透明シート２００の構成を用いることができる。
【００６０】
また、第１基材層２０９および第２基材層２１１の材料として、たとえば透明樹脂、ガラス等が挙げられる。このうち、透明樹脂として、好ましくは、エポキシ樹脂、ポリエステル樹脂、ポリオレフィン樹脂、ポリカーボネート樹脂、ポリ塩化ビニル樹脂、スチレン樹脂、アクリル樹脂、ポリアミド樹脂、セルロース樹脂、ウレタン樹脂およびシリコーン樹脂からなる群から選択される１種または２種以上が挙げられる。第１基材層２０９および第２基材層２１１の材料は、同じであってもよいし異なっていてもよく、好ましくは同じである。
第１基材層２０９および第２基材層２１１の厚さは、透明シート２３０の強度を高める観点から、好ましくは５μｍ以上であり、より好ましくは１０μｍ以上である。また、透明シート２３０の薄型化および軽量化の観点から、基材層２０１の厚さは、好ましくは２０００μｍ以下であり、より好ましくは５００μｍ以下である。
【００６１】
また、透明シート２３０全体の厚さは、透明シート２３０の強度を高める観点、および、展示品１０３の見えを安定的に向上させる観点から、好ましくは３０μｍ以上であり、より好ましくは１００μｍ以上である。また、透明シート２３０の薄型化および軽量化の観点から、透明シート２３０全体の厚さは、好ましくは４５００μｍ以下であり、より好ましくは６００μｍ以下である。
【００６２】
次に、透明シート２３０の製造方法を説明する。
たとえば、第１基材層２０９および第２基材層２１１として用いるシートまたは板状部材を準備し、これらの間にスペーサーを配置して、２枚の基材の間に所定の間隙を設ける。そして、間隙に、特定波長吸収色素を含む組成物を流し入れ、硬化接着することにより、透明シート２３０を得る。
【００６３】
図６に示した透明シート２３０においても、図５を参照して前述した透明シート２００と同様の効果が得られる。
【００６４】
次に、上述した透明シートを含むシートについて、具体例を挙げて説明する。
（シート）
（第７の実施形態）
図７は、本実施形態におけるシートの構成を示す断面図である。図７に示したシート２２０は、基材層２０１と、粘着層２０３と、を含む透明シート２１０および剥離層２０５を有する。粘着層２０３は、基材層２０１と剥離層２０５との間に設けられている。図７においては、基材層２０１、粘着層２０３および剥離層２０５がこの順に接して設けられている。そして、基材層２０１および粘着層２０３から選択される１種以上が、前述した特定波長吸収色素を含む層である。
【００６５】
シート２２０の形状として、たとえば所定の形状および大きさを有する平板シート、所定の幅を有する巻回シートが挙げられる。
【００６６】
図８（ａ）〜図８（ｃ）は、シート２２０の構成例をさらに具体的に示す断面図である。図８（ａ）においては、基材層２０１が特定波長吸収色素を含む層である。図８（ｂ）においては、粘着層２０３が特定波長吸収色素を含む層である。また、図８（ｃ）においては、基材層２０１および粘着層２０３が、いずれも、特定波長吸収色素を含む層である。
特定波長吸収色素を含む層には、たとえば図５を参照して前述した透明シート２００の構成を用いることができる。
【００６７】
また、基材層２０１には、たとえば図６を参照して前述した第１基材層２０９または第２基材層２１１の構成を用いることができる。
基材層２０１の厚さは、透明シート２１０を展示窓１０５等に安定的に貼付する観点、および、基材層２０１が特定波長吸収色素を含むときに透明シート２１０による展示品１０３の見えを安定的に向上させる観点から、好ましくは５μｍ以上であり、より好ましくは１０μｍ以上である。また、透明シート２１０の薄型化および軽量化の観点から、基材層２０１の厚さは、好ましくは２０００μｍ以下であり、より好ましくは５００μｍ以下である。
【００６８】
粘着層２０３は、具体的には、透明シート２１０を展示窓１０５等の展示ケースの構成部材に貼付する機能を有する。粘着層２０３の材料は、透明シート２１０を展示窓１０５等に貼付するできるものであればよい。粘着層２０３の基材の具体例として、アクリル樹脂、ウレタン樹脂、シリコーン樹脂等の樹脂材料が挙げられる。これらの樹脂材料は１種のモノマーの重合体であってもよいし、２種以上のモノマーの共重合体であってもよい。また、これらの樹脂材料は、１種または２種以上のモノマーの架橋体であってもよい。
粘着層２０３の厚さは、透明シート２１０を展示ケースの構成部材に安定的に貼付する観点、および、粘着層２０３が特定波長吸収色素を含むときに透明シート２１０による展示品１０３の見えを安定的に向上させる観点から、好ましくは５μｍ以上であり、より好ましくは１０μｍ以上である。また、透明シート２１０の薄型化および軽量化の観点から、粘着層２０３の厚さは、好ましくは２００μｍ以下であり、より好ましくは１００μｍ以下である。
【００６９】
また、透明シート２１０全体の厚さは、透明シート２１０による展示品１０３の見えを安定的に向上させる観点から、好ましくは１０μｍ以上であり、より好ましくは２０μｍ以上である。また、透明シート２１０の薄型化および軽量化の観点から、透明シート２１０全体の厚さは、好ましくは２２００μｍ以下であり、より好ましくは６００μｍ以下である。
【００７０】
剥離層２０５の基材として、紙、ポリエチレン、ポリプロピレン、ポリエステルなどよりなる樹脂フィルムが挙げられる。
剥離層２０５の厚さは、剥離層の取扱い容易性の観点から、好ましくは１０μｍ以上であり、より好ましくは２０μｍ以上である。また、剥離層の取扱い容易性の観点から、剥離層２０５の厚さは、好ましくは３００μｍ以下であり、より好ましくは２００μｍ以下である。
【００７１】
次に、シート２２０の製造方法を説明する。
たとえば、基材層２０１の成分を含む組成物を所定の厚さに塗工し、硬化することにより、基材層２０１を形成する。次に、基材層２０１の一方の表面に粘着層２０３の成分を含む組成物を所定の厚さに塗工し、乾燥することにより、粘着層２０３を形成する。そして、粘着層２０３上に剥離層２０５を配設する。
基材層２０１および粘着層２０３の形成方法として、公知の塗工装置を用いた塗工方法を採用することができる。公知の塗工装置としては、たとえば、ロールコーター、ナイフコーター、ロールナイフコーター、ファウンテンダイコーター、スロットダイコーター、リバースコーター等を挙げることができる。
【００７２】
次に、シート２２０の施工方法の具体例を挙げる。シート２２０を展示ケースの展示窓１０５に施工するとき、その方法は、たとえば、シート２２０を準備する工程と、シート２２０から剥離層２０５を剥離する工程と、粘着層２０３と展示窓１０５とを対向させて展示窓１０５に透明シート２１０を貼付する工程と、を含む。
さらに具体的には、シート２２０から剥離層２０５を剥離する工程は、シート２２０から剥離層２０５を剥離して透明シートを得る工程を含んでもよい。また、展示窓１０５に透明シート２１０を貼付する工程は、たとえば、透明シート２１０の粘着層２０３を展示窓１０５に当接し、付着することにより、展示窓１０５に透明シート２１０を貼付してもよい。
【００７３】
本実施形態においても、図５および図６を参照して前述した効果と同様の効果が得られる。また、本実施形態によれば、展示窓１０５等の展示ケースの構成部材への施工性に優れた透明シートを得ることができる。
【００７４】
以上、本発明の実施形態について述べたが、これらは本発明の例示であり、上記以外の様々な構成を採用することもできる。
【００７５】
たとえば、以上の実施形態においては、展示ケースを構成するケース１０１に１つの展示窓１０５が設けられた例を説明したが、展示ケースに設けられる展示窓１０５の数に制限はなく、たとえば２以上の展示窓１０５が展示ケースに設けられていてもよい。また、このとき、２以上の展示窓１０５のうち１つ以上に隣接して第１透明シート１１１が配置されていることが好ましく、すべての展示窓１０５に隣接して第１透明シート１１１が配置されていることがより好ましい。
また、以上の実施形態では、展示ケースにおいて、ケース１０１の平面形状が矩形であり、矩形の１つの辺に展示窓１０５が設けられた構成を例に説明したが、ケース１０１の平面形状や窓の配置はこれに限られない。たとえば、展示ケースのケース１０１の側面全体、または、ケース１０１の全体が展示窓１０５により構成されていてもよい。このとき、展示窓１０５の少なくとも一部に隣接して第１透明シート１１１が配置されていることが好ましく、展示窓１０５の全面に第１透明シート１１１が配置されていることがより好ましい。
【実施例】
【００７６】
以下、本発明を実施例によりさらに具体的に説明するが、本発明はその主旨を越えない限り、以下の実施例に限定されるものではない。
【００７７】
＜透明シート＞
（製造例１：透明シートＦａ）
化合物（１−１）（一般式（１）中、Ｒ1とＲ2、Ｒ3とＲ4、Ｒ5とＲ6、Ｒ7とＲ8、の各組み合せにおいて、いずれか一方が水素原子、他方がｔｅｒｔ−ブチル基であり、ＭがＣｕである化合物、化合物の吸収極大波長５８５ｎｍ）をポリカーボネート（住化ポリカーボネート社製、ＳＤ２１７３Ｍ）に混錬成形加工し、厚み３００μｍのシートとし、シートＦａとした。ここで、化合物（１−１）の添加濃度を９０ｐｐｍとした。得られたシートＦａは薄い青色を呈しており、分光透過率を測定したところ、可視領域で最小の透過率を与える波長は５８６ｎｍ、５８６ｎｍにおける透過率は３４％、視感透過率は７７％であった。図９は、シートＦａの分光透過率の測定結果を示す図である。
【００７８】
（比較製造例１：透明シートＦｂ）
着色透明シートとして、シートＦａと同様に薄い青色の透明シート（Ｒｏｓｃｏ社製、＃３２１６）を用意し、シートＦｂとした。シートＦｂの分光透過率を測定したところ、可視領域で最小の透過率を与える波長は６６０ｎｍ、波長６６０ｎｍにおける透過率は６６％、視感透過率は７５％であった。図１０は、シートＦｂの分光透過率の測定結果を示す図である。
【００７９】
＜展示ケース＞
（比較例１：比較展示ケース０）
天井部に内部照明（白色ＬＥＤ光源）を備えた展示ケース（セミー工業社製  コレクションケース  Ｊ−ＳＴＡＧＥ）を用意し、比較展示ケース０とした。
【００８０】
（比較例２：比較展示ケース１）
比較展示ケース０の天井内部照明前部全面に接して透明シートＦｂを設置した展示ケースを用意し、比較展示ケース１とした。
【００８１】
（比較例３：比較展示ケース２）
比較展示ケース０の窓前部の外側全面に接して透明シートＦｂを固定し設置した展示ケースを用意し、比較展示ケース２とした。
【００８２】
（実施例１：展示ケース１）
比較展示ケース０の天井内部照明前部全面に接して透明シートＦａを設置した展示ケースを用意し、展示ケース１とした。
【００８３】
（実施例２：展示ケース２）
比較展示ケース０の窓前部の外側全面に接して透明シートＦａを固定し設置した展示ケースを用意し、展示ケース２とした。
表１に、以上の各例の構成の概要を示す。
【００８４】
【表１】
2020160153.tif 000006
【００８５】
＜照明条件設定Ａと測光＞
（比較例Ａ０）
蛍光灯（外部照明）が天井に設置された部屋の床面から７０ｃｍの位置に、比較展示ケース０を設置した。
展示ケースの底面中央部に白色板（トプコン社製  標準白色板ＷＳ−３）を設置した。
展示ケースの端部から水平方向に１００ｃｍ、床面から１００ｃｍの位置に分光放射輝度計（トプコン社製、ＳＲ−ＬＥＤＷ−５Ｎ）を設置し、展示ケース内部照明、および外部照明の両方を点灯した状態（照明条件Ａ）で、白色板から展示ケース窓部を透過して放射される光の分光放射輝度を測定し、輝度、相関色温度、平均演色評価数（Ｒａ、ＪＩＳ  Ｚ  ８７２６）、特殊演色評価数（Ｒ９、ＪＩＳ  Ｚ  ８７２６）を算出した。算出結果を表２に示す。
ここで、光源下の物の見え方が、基準光源（完全放射体の光またはＣＩＥ昼光）を用いた場合の物の見え方とどれくらい近いかを表す指標として演色評価数がある。
平均演色評価数（Ｒａ）は、ＪＩＳ  Ｚ  ８７２６に規定された８色の色票を用いて評価した演色評価数を平均したものであり、特殊演色評価数（Ｒ９）は、ＪＩＳ  Ｚ  ８７２６に規定された赤色の色票を用いて評価した演色評価数である。いずれも数値が１００にちかいほど、物の見え方が基準光源を用いた物の見え方に近いことを表しており、一般的に物の色が鮮やかに見える。
【００８６】
（比較例Ａ１）
比較展示ケース０の代わりに比較展示ケース１を設置すること以外は、比較例Ａ０と同様にして、照明条件Ａにおいて比較展示ケース１内に設置した白色板から展示ケース窓部を透過して放射される光の分光放射輝度を測定し、輝度、相関色温度、平均演色評価数（Ｒａ）、特殊演色評価数（Ｒ９）を算出した。算出結果を表２に示す。
【００８７】
（比較例Ａ２）
比較展示ケース０の代わりに比較展示ケース２を設置すること以外は、比較例Ａ０と同様にして、照明条件Ａにおいて比較展示ケース２内に設置した白色板から展示ケース窓部を透過して放射される光の分光放射輝度を測定し、輝度、相関色温度、平均演色評価数（Ｒａ）、特殊演色評価数（Ｒ９）を算出した。算出結果を表２に示す。
【００８８】
（実施例Ａ１）
比較展示ケース０の代わりに展示ケース１を設置すること以外は、比較例Ａ０と同様にして、照明条件Ａにおいて展示ケース１内に設置した白色板から展示ケース窓部を透過して放射される光の分光放射輝度を測定し、輝度、相関色温度、平均演色評価数（Ｒａ）、特殊演色評価数（Ｒ９）を算出した。算出結果を表２に示す。
【００８９】
（実施例Ａ２）
比較展示ケース０の代わりに展示ケース２を設置すること以外は、比較例Ａ０と同様にして、照明条件Ａにおいて展示ケース２内に設置した白色板から展示ケース窓部を透過して放射される光の分光放射輝度を測定し、輝度、相関色温度、平均演色評価数（Ｒａ）、特殊演色評価数（Ｒ９）を算出した。算出結果を表２に示す。
【００９０】
＜照明条件設定Ｂと測光＞
（比較例Ｂ０）
展示ケース内部照明を点灯し、外部照明を消灯した状態（照明条件Ｂ）とすること以外は、比較例Ａ０と同様にして、照明条件Ｂにおいて比較展示ケース０内に設置した白色板から展示ケース窓部を透過して放射される光の分光放射輝度を測定し、輝度、相関色温度、平均演色評価数（Ｒａ）、特殊演色評価数（Ｒ９）を算出した。算出結果を表２に示す。
【００９１】
（比較例Ｂ１）
比較展示ケース０の代わりに比較展示ケース１を設置すること以外は、比較例Ｂ０と同様にして、照明条件Ｂにおいて比較展示ケース１内に設置した白色板から展示ケース窓部を透過して放射される光の分光放射輝度を測定し、輝度、相関色温度、平均演色評価数（Ｒａ）、特殊演色評価数（Ｒ９）を算出した。算出結果を表２に示す。
【００９２】
（比較例Ｂ２）
比較展示ケース０の代わりに比較展示ケース２を設置すること以外は、比較例Ｂ０と同様にして、照明条件Ｂにおいて比較展示ケース２内に設置した白色板から展示ケース窓部を透過して放射される光の分光放射輝度を測定し、輝度、相関色温度、平均演色評価数（Ｒａ）、特殊演色評価数（Ｒ９）を算出した。算出結果を表２に示す。
【００９３】
（実施例Ｂ１）
比較展示ケース０の代わりに展示ケース１を設置すること以外は、比較例Ｂ０と同様にして、照明条件Ｂにおいて展示ケース１内に設置した白色板から展示ケース窓部を透過して放射される光の分光放射輝度を測定し、輝度、相関色温度、平均演色評価数（Ｒａ）、特殊演色評価数（Ｒ９）を算出した。算出結果を表２に示す。
【００９４】
（実施例Ｂ２）
比較展示ケース０の代わりに展示ケース２を設置すること以外は、比較例Ｂ０と同様にして、照明条件Ｂにおいて展示ケース２内に設置した白色板から展示ケース窓部を透過して放射される光の分光放射輝度を測定し、輝度、相関色温度、平均演色評価数（Ｒａ）、特殊演色評価数（Ｒ９）を算出した。算出結果を表２に示す。
【００９５】
＜照明条件設定Ｃと測光＞
（比較例Ｃ０）
展示ケース内部照明を消灯し、外部照明を点灯した状態（照明条件Ｃ）とすること以外は、比較例Ａ０と同様にして、照明条件Ｃにおいて比較展示ケース０内に設置した白色板から展示ケース窓部を透過して放射される光の分光放射輝度を測定し、輝度、相関色温度、平均演色評価数（Ｒａ）、特殊演色評価数（Ｒ９）を算出した。算出結果を表２に示す。
【００９６】
（比較例Ｃ１）
比較展示ケース０の代わりに比較展示ケース１を設置すること以外は、比較例Ｃ０と同様にして、照明条件Ｃにおいて比較展示ケース１内に設置した白色板から展示ケース窓部を透過して放射される光の分光放射輝度を測定し、輝度、相関色温度、平均演色評価数（Ｒａ）、特殊演色評価数（Ｒ９）を算出した。算出結果を表２に示す。
【００９７】
（比較例Ｃ２）
比較展示ケース０の代わりに比較展示ケース２を設置すること以外は、比較例Ｃ０と同様にして、照明条件Ｃにおいて比較展示ケース２内に設置した白色板から展示ケース窓部を透過して放射される光の分光放射輝度を測定し、輝度、相関色温度、平均演色評価数（Ｒａ）、特殊演色評価数（Ｒ９）を算出した。算出結果を表２に示す。
【００９８】
（実施例Ｃ１）
比較展示ケース０の代わりに展示ケース１を設置すること以外は、比較例Ｃ０と同様にして、照明条件Ｃにおいて展示ケース１内に設置した白色板から展示ケース窓部を透過して放射される光の分光放射輝度を測定し、輝度、相関色温度、平均演色評価数（Ｒａ）、特殊演色評価数（Ｒ９）を算出した。算出結果を表２に示す。
【００９９】
（実施例Ｃ２）
比較展示ケース０の代わりに展示ケース２を設置すること以外は、比較例Ｃ０と同様にして、照明条件Ｃにおいて展示ケース２内に設置した白色板から展示ケース窓部を透過して放射される光の分光放射輝度を測定し、輝度、相関色温度、平均演色評価数（Ｒａ）、特殊演色評価数（Ｒ９）を算出した。算出結果を表２に示す。
【０１００】
【表２】
2020160153.tif 000007
【０１０１】
表２より、実施例Ａ１と比較例Ａ１、実施例Ａ２と比較例Ａ２、実施例Ｂ１と比較例Ｂ１、実施例Ｂ２と比較例Ｂ２、実施例Ｃ１と比較例Ｃ１、ならびに、実施例Ｃ２と比較例Ｃ２をそれぞれ対比すると、実施例においては、比較例と同等以上の輝度が得られるとともに、相関色温度が向上した。また、実施例においては、特殊演色評価数Ｒ９が向上しより１００に近い値となったことから、透明シートＦａを用いることにより、展示ケース内部に設置した物品を、より自然かつ鮮やかで美しく見せることができる。また、透明シートＦａを用いることにより、照明条件設定ＡおよびＢにおいて、展示物によりいっそう好ましい演色効果を付与することができる。
【０１０２】
＜主観評価１（展示物の色の鮮やかさ）  照明条件Ａ＞
（比較例ＡＱ１  照明条件Ａ  比較展示ケース１の評価）
蛍光灯（外部照明）が天井に設置された部屋の床面から７０ｃｍの位置に、被験者からみて左側に比較展示ケース０を置き、右側に比較展示ケース１を置き、これらの展示ケースの窓面を被験者側に向けて、並べて配置した。
【０１０３】
展示品として、同一形状同一色彩の赤い花と緑色の葉からなるバラの造花、および色票（エックスライト社製  カラーチェッカークラシック）を双方の展示ケースの前者は底面中央部に後者は奥の壁に配置した。
ふたつの展示ケースの接した箇所の端部から水平方向に１００ｃｍ、床面から１００ｃｍの位置に眼部が配置されるように、被験者を配置した。
【０１０４】
上記配置で展示ケース内部照明、および外部照明の両方を点灯した状態（照明条件Ａ）で、バラの花の赤色の鮮やかさ（濃さ）、バラの葉の緑色の鮮やかさ（濃さ）、カラーチェッカーの青色、緑色、赤色、黄色の色票の鮮やかさ（濃さ）についての主観評価をおこなった。ここで、カラーチェッカーの青色、緑色、赤色、黄色の色票の鮮やかさ（濃さ）については、４色すべてを綜合的に見て評価した。
評価は、５人の晴眼者（３０代から５０代の男性４名、女性１名）が、被験者から見て左側の比較展示ケース０内に展示された展示物の見え方を基準として、右側の比較展示ケース１内に展示された展示物の見え方を次の基準で評価し、
５人の評価の平均値を評価値とした。評価結果を表３−１に示す。
＋３：右の方がとても濃い
＋２：右の方が濃い
＋１：右の方がやや濃い
−１：左の方がやや濃い
−２：左の方が濃い
−３：左の方がとても濃い
【０１０５】
（比較例ＡＱ２  照明条件Ａ  比較展示ケース２の評価）
右側に配置した比較展示ケース１の代わりに比較展示ケース２を配置すること以外は、比較例ＡＱ１と同様にして、バラの花の赤色の鮮やかさ（濃さ）、バラの葉の緑色の鮮やかさ（濃さ）、カラーチェッカーの青色、緑色、赤色、黄色の色票の鮮やかさ（濃さ）についての主観評価をおこなった。評価結果を表３−１に示す。
【０１０６】
（実施例ＡＱ１  照明条件Ａ  展示ケース１の評価）
右側に配置した比較展示ケース１の代わりに展示ケース１を配置すること以外は、比較例ＡＱ１と同様にして、バラの花の赤色の鮮やかさ（濃さ）、バラの葉の緑色の鮮やかさ（濃さ）、カラーチェッカーの青色、緑色、赤色、黄色の色票の鮮やかさ（濃さ）についての主観評価をおこなった。評価結果を表３−１に示す。
【０１０７】
（実施例ＡＱ２  照明条件Ａ  展示ケース２の評価）
右側に配置した比較展示ケース１の代わりに展示ケース２を配置すること以外は、比較例ＡＱ１と同様にして、バラの花の赤色の鮮やかさ（濃さ）、バラの葉の緑色の鮮やかさ（濃さ）、カラーチェッカーの青色、緑色、赤色、黄色の色票の鮮やかさ（濃さ）についての主観評価をおこなった。評価結果を表３−１に示す。
【０１０８】
【表３−１】
2020160153.tif 000008
【０１０９】
表３−１より、展示ケース内部照明、および外部照明の両方を点灯した状態（照明条件Ａ）において、実施例ＡＱ１、実施例ＡＱ２の評価値がいずれも正であることから、各実施例の透明シートを設置した展示ケースは、透明シートを設置しない展示ケースに比べて、展示ケース内部に配置した展示物の色が濃く、鮮やかに見えることがわかる。
また、比較例ＡＱ１の評価値に比べて実施例ＡＱ１の評価値が大きいこと、比較例ＡＱ２の評価値に比べて実施例ＡＱ２の評価値が大きいことから、各実施例の透明シートを設置した展示ケースは、比較例の着色透明シートを設置した展示ケースに比べて、展示ケース内部に配置した展示物の色が濃く、鮮やかに見えることがわかる。
【０１１０】
＜主観評価１（展示物の色の鮮やかさ）  照明条件Ｂ＞
（比較例ＢＱ１  照明条件Ｂ  比較展示ケース１の評価）
展示ケース内部照明を点灯し、外部照明を消灯した状態（照明条件Ｂ）とすること以外は、比較例ＡＱ１と同様にして、バラの花の赤色の鮮やかさ（濃さ）、バラの葉の緑色の鮮やかさ（濃さ）、カラーチェッカーの青色、緑色、赤色、黄色の色票の鮮やかさ（濃さ）についての主観評価をおこなった。評価結果を表３−２に示す。
【０１１１】
（比較例ＢＱ２  照明条件Ｂ  比較展示ケース２の評価）
右側に配置した比較展示ケース１の代わりに比較展示ケース２を配置すること以外は、比較例ＢＱ１と同様にして、バラの花の赤色の鮮やかさ（濃さ）、バラの葉の緑色の鮮やかさ（濃さ）、カラーチェッカーの青色、緑色、赤色、黄色の色票の鮮やかさ（濃さ）についての主観評価をおこなった。評価結果を表３−２に示す。
【０１１２】
（実施例ＢＱ１  照明条件Ｂ  展示ケース１の評価）
右側に配置した比較展示ケース１の代わりに展示ケース１を配置すること以外は、比較例ＢＱ１と同様にして、バラの花の赤色の鮮やかさ（濃さ）、バラの葉の緑色の鮮やかさ（濃さ）、カラーチェッカーの青色、緑色、赤色、黄色の色票の鮮やかさ（濃さ）についての主観評価をおこなった。評価結果を表３−２に示す。
【０１１３】
（実施例ＢＱ２  照明条件Ｂ  展示ケース２の評価）
右側に配置した比較展示ケース１の代わりに展示ケース２を配置すること以外は、比較例ＢＱ１と同様にして、バラの花の赤色の鮮やかさ（濃さ）、バラの葉の緑色の鮮やかさ（濃さ）、カラーチェッカーの青色、緑色、赤色、黄色の色票の鮮やかさ（濃さ）についての主観評価をおこなった。評価結果を表３−２に示す。
【０１１４】
【表３−２】
2020160153.tif 000009
【０１１５】
表３−２より、展示ケース内部照明を点灯し、外部照明を消灯した状態（照明条件Ｂ）において、実施例ＢＱ１、実施例ＢＱ２の評価値がいずれも正であることから、各実施例の透明シートを設置した展示ケースは、透明シートを設置しない展示ケースに比べて、展示ケース内部に配置した展示物の色が濃く、鮮やかに見えることがわかる。
また、比較例ＢＱ１の評価値に比べて実施例ＢＱ１の評価値が大きいこと、比較例ＢＱ２の評価値に比べて実施例ＢＱ２の評価値が大きいことから、各実施例の透明シートを設置した展示ケースは、比較例の着色透明シートを設置した展示ケースに比べて、展示ケース内部に配置した展示物の色が濃く、鮮やかに見えることがわかる。
【０１１６】
＜主観評価２（白色紙の白さ感）  照明条件Ａ＞
（比較例ＡＱ３  照明条件Ａ  比較展示ケース１の評価）
バラの造花および色票（エックスライト社製  カラーチェッカークラシック）の代わりに、同一形状同一色彩の紙片に黒色インクで文字を印刷した印刷物を双方の展示ケースの底面中央部に配置すること以外は、比較例ＡＱ１と同様にして、展示ケース、および被験者を配置した。
【０１１７】
上記配置で展示ケース内部照明、および外部照明の両方を点灯した状態（照明条件Ａ）で、紙の白さ感についての主観評価をおこなった。
評価は、５人の晴眼者（３０代から５０代の男性４名、女性１名）が、被験者から見て左側の比較展示ケース０内に展示された展示物の見え方を基準として、右側の比較展示ケース１内に展示された展示物の見え方を次の基準で評価し、
５人の評価の平均値を評価値とした。評価結果を表４−１に示す。
＋３：右の方がとても黄ばんでいる
＋２：右の方が黄ばんでいる
＋１：右の方がやや黄ばんでいる
−１：左の方がやや黄ばんでいる
−２：左の方が黄ばんでいる
−３：左の方がとても黄ばんでいる
【０１１８】
（比較例ＡＱ４  照明条件Ａ  比較展示ケース２の評価）
右側に配置した比較展示ケース１の代わりに比較展示ケース２を配置すること以外は、比較例ＡＱ３と同様にして、紙の白さ感についての主観評価をおこなった。評価結果を表４−１に示す。
【０１１９】
（実施例ＡＱ３  照明条件Ａ  展示ケース１の評価）
右側に配置した比較展示ケース１の代わりに展示ケース１を配置すること以外は、比較例ＡＱ３と同様にして、紙の白さ感ついての主観評価をおこなった。評価結果を表４−１に示す。
【０１２０】
（実施例ＡＱ４  照明条件Ａ  展示ケース２の評価）
右側に配置した比較展示ケース１の代わりに展示ケース２を配置すること以外は、比較例ＡＱ３と同様にして、紙の白さ感についての主観評価をおこなった。評価結果を表４−１に示す。
【０１２１】
【表４−１】
2020160153.tif 000010
【０１２２】
表４−１より、展示ケース内部照明、および外部照明の両方を点灯した状態（照明条件Ａ）において、実施例ＡＱ３、実施例ＡＱ４の評価値がいずれも負であることから、各実施例の透明シートを設置した展示ケースは、透明シートを設置しない展示ケースに比べて、展示ケース内部に配置した紙片の黄ばみが少なくより白く見えることがわかる。
また、比較例ＡＱ３の評価値に比べて実施例ＡＱ３の評価値が小さいこと、比較例ＡＱ４の評価値に比べて実施例ＡＱ４の評価値が小さいことから、各実施例の透明シートを設置した展示ケースは、比較例の着色透明シートを設置した展示ケースに比べて、展示ケース内部に配置した紙片の黄ばみが少なくより白く見えることがわかる。
【０１２３】
＜主観評価２（白色紙の白さ感）  照明条件Ｂ＞
（比較例ＢＱ３  照明条件Ｂ  比較展示ケース１の評価）
展示ケース内部照明を点灯し、外部照明を消灯した状態（照明条件Ｂ）とすること以外は、比較例ＡＱ３と同様にして、紙の白さ感についての主観評価をおこなった。評価結果を表４−２に示す。
【０１２４】
（比較例ＢＱ４  照明条件Ｂ  比較展示ケース２の評価）
右側に配置した比較展示ケース１の代わりに比較展示ケース２を配置すること以外は、比較例ＢＱ３と同様にして、紙の白さ感についての主観評価をおこなった。評価結果を表４−２に示す。
【０１２５】
（実施例ＢＱ３  照明条件Ｂ  展示ケース１の評価）
右側に配置した比較展示ケース１の代わりに展示ケース１を配置すること以外は、比較例ＢＱ３と同様にして、紙の白さ感についての主観評価をおこなった。評価結果を表４−２に示す。
【０１２６】
（実施例ＢＱ４  照明条件Ｂ  展示ケース２の評価）
右側に配置した比較展示ケース１の代わりに展示ケース２を配置すること以外は、比較例ＢＱ３と同様にして、紙の白さ感についての主観評価をおこなった。評価結果を表４−２に示す。
【０１２７】
【表４−２】
2020160153.tif 000011
【０１２８】
表４−２より、展示ケース内部照明を点灯し、外部照明を消灯した状態（照明条件Ｂ）において、実施例ＢＱ３、実施例ＢＱ４の評価値がいずれも負であることから、各実施例の透明シートを設置した展示ケースは、透明シートを設置しない展示ケースに比べて、展示ケース内部に配置した紙片の黄ばみが少なくより白く見えることがわかる。
また、比較例ＢＱ３の評価値に比べて実施例ＢＱ３の評価値が小さいこと、比較例ＢＱ４の評価値に比べて実施例ＢＱ４の評価値が小さいことから、各実施例の透明シートを設置した展示ケースは、比較例の着色透明シートを設置した展示ケースに比べて、展示ケース内部に配置した紙片の黄ばみが少なくより白く見えることがわかる。
【０１２９】
＜主観評価２（白色紙の白さ感）  照明条件Ｃ＞
（比較例ＣＱ３  照明条件Ｃ  比較展示ケース１の評価）
展示ケース内部照明を消灯し、外部照明を点灯した状態（照明条件Ｃ）とすること以外は、比較例ＡＱ３と同様にして、紙の白さ感についての主観評価をおこなった。評価結果を表４−３に示す。
【０１３０】
（比較例ＣＱ４  照明条件Ｃ  比較展示ケース２の評価）
右側に配置した比較展示ケース１の代わりに比較展示ケース２を配置すること以外は、比較例ＣＱ３と同様にして、紙の白さ感についての主観評価をおこなった。評価結果を表４−３に示す。
【０１３１】
（実施例ＣＱ３  照明条件Ｃ  展示ケース１の評価）
右側に配置した比較展示ケース１の代わりに展示ケース１を配置すること以外は、比較例ＣＱ３と同様にして、紙の白さ感についての主観評価をおこなった。評価結果を表４−３に示す。
【０１３２】
（実施例ＣＱ４  照明条件Ｃ  展示ケース２の評価）
右側に配置した比較展示ケース１の代わりに展示ケース２を配置すること以外は、比較例ＣＱ３と同様にして、紙の白さ感についての主観評価をおこなった。評価結果を表４−３に示す。
【０１３３】
【表４−３】
2020160153.tif 000012
【０１３４】
表４−３より、展示ケース内部照明を消灯し、外部照明を点灯した状態（照明条件Ｃ）において、実施例ＣＱ３、実施例ＣＱ４の評価値が負であることから、実施例の透明シートを展示ケース窓部に設置した展示ケースは、透明シートを設置しない展示ケースに比べて、展示ケース内部に配置した紙片の黄ばみが少なくより白く見えることがわかる。
比較例ＣＱ３の評価値に比べて実施例ＣＱ３の評価値が小さいこと、比較例ＣＱ４の評価値に比べて実施例ＣＱ４の評価値が小さいことから、各実施例の透明シートを展示ケース窓部に設置した展示ケースは、比較例の着色透明シートを展示ケース窓部に設置した展示ケースに比べて、展示ケース内部に配置した紙片の黄ばみが少なくより白く見えることがわかる。
さらに、実施例ＣＱ３の評価値に比べて実施例ＣＱ４の評価値が小さいことから、実施例の透明シートを展示ケース窓部に設置した展示ケースは、実施例の透明シートを展示ケース照明部に設置した展示ケースに比べて、展示ケース内部に配置した紙片の黄ばみがよりいっそう少なく、よりいっそう白く見えることがわかる。
【０１３５】
＜主観評価３（展示物の質感（しっとり感、高級感））  照明条件Ａ＞
（比較例ＡＱ５  照明条件Ａ  比較展示ケース１の評価）
比較例ＡＱ１と同様に展示ケース、被験者を配置した。上記配置で展示ケース内部照明、および外部照明の両方を点灯した状態（照明条件Ａ）で、バラ（生花）のしっとり感、バラの高級感についての主観評価をおこなった。
評価は、５人の晴眼者（３０代から５０代の男性４名、女性１名）が、被験者から見て左側の比較展示ケース０内に展示された展示物の見え方を基準として、右側の比較展示ケース１内に展示された展示物の見え方を次の基準で評価し、５人の評価の平均値を評価値とした。評価結果を表５−１に示す。
＋３：右の方がとてもしっとり、右の方がとても高級
＋２：右の方がしっとり、右の方が高級
＋１：右の方がややしっとり、右の方がやや高級
−１：左の方がややしっとり、左の方がやや高級
−２：左の方がしっとり、左の方がやや高級
−３：左の方がとてもしっとり、左の方がやや高級
【０１３６】
（比較例ＡＱ６  照明条件Ａ  比較展示ケース２の評価）
右側に配置した比較展示ケース１の代わりに比較展示ケース２を配置すること以外は、比較例ＡＱ５と同様にして、バラのしっとり感、バラの高級感についての主観評価をおこなった。評価結果を表５−１に示す。
【０１３７】
（実施例ＡＱ５  照明条件Ａ  展示ケース１の評価）
右側に配置した比較展示ケース１の代わりに展示ケース１を配置すること以外は、比較例ＡＱ５と同様にして、バラのしっとり感、バラの高級感についての主観評価をおこなった。評価結果を表５−１に示す。
【０１３８】
（実施例ＡＱ６  照明条件Ａ  展示ケース２の評価）
右側に配置した比較展示ケース１の代わりに展示ケース２を配置すること以外は、比較例ＡＱ５と同様にして、バラのしっとり感、バラの高級感についての主観評価をおこなった。評価結果を表５−１に示す。
【０１３９】
【表５−１】
2020160153.tif 000013
【０１４０】
表５−１より、展示ケース内部照明、および外部照明の両方を点灯した状態（照明条件Ａ）において、実施例ＡＱ５、実施例ＡＱ６の評価値がいずれも正であることから、各実施例の透明シートを設置した展示ケースは、透明シートを設置しない展示ケースに比べて、展示ケース内部に配置した展示物の質感（バラのしっとり感、高級感）が好ましく見えることがわかる。
比較例ＡＱ５の評価値に比べて実施例ＡＱ５の評価値がいずれも大きいこと、比較例ＡＱ６の評価値に比べて実施例ＡＱ６の評価値がいずれも大きいことから、各実施例の透明シートを設置した展示ケースは、比較例の着色透明シートを設置した展示ケースに比べて、展示ケース内部に配置した展示物の質感（バラのしっとり感、高級感）が好ましく見えることがわかる。
【０１４１】
＜主観評価３（展示物の質感（しっとり感、高級感））  照明条件Ｂ＞
（比較例ＢＱ５  照明条件Ｂ  比較展示ケース１の評価）
展示ケース内部照明を点灯し、外部照明を消灯した状態（照明条件Ｂ）とすること以外は、比較例ＡＱ５と同様にして、バラのしっとり感、バラの高級感についての主観評価をおこなった。評価結果を表５−２に示す。
【０１４２】
（比較例ＢＱ６  照明条件Ｂ  比較展示ケース２の評価）
右側に配置した比較展示ケース１の代わりに比較展示ケース２を配置すること以外は、比較例ＢＱ５と同様にして、バラのしっとり感、バラの高級感についての主観評価をおこなった。評価結果を表５−２に示す。
【０１４３】
（実施例ＢＱ５  照明条件Ｂ  展示ケース１の評価）
右側に配置した比較展示ケース１の代わりに展示ケース１を配置すること以外は、比較例ＢＱ５と同様にして、バラのしっとり感、バラの高級感についての主観評価をおこなった。評価結果を表５−２に示す。
【０１４４】
（実施例ＢＱ６  照明条件Ｂ  展示ケース２の評価）
右側に配置した比較展示ケース１の代わりに展示ケース２を配置すること以外は、比較例ＢＱ５と同様にして、バラのしっとり感、バラの高級感についての主観評価をおこなった。評価結果を表５−２に示す。
【０１４５】
【表５−２】
2020160153.tif 000014
【０１４６】
表５−２より、展示ケース内部照明を点灯し、外部照明を消灯した状態（照明条件Ｂ）において、実施例ＢＱ５、実施例ＢＱ６の評価値がいずれも正であることから、各実施例の透明シートを設置した展示ケースは、透明シートを設置しない展示ケースに比べて、展示ケース内部に配置した展示物の質感（バラのしっとり感、高級感）が好ましく見えることがわかる。
比較例ＢＱ５の評価値に比べて実施例ＢＱ５の評価値がいずれも大きいこと、比較例ＢＱ６の評価値に比べて実施例ＢＱ６の評価値がいずれも大きいことから、各実施例の透明シートを設置した展示ケースは、比較例の着色透明シートを設置した展示ケースに比べて、展示ケース内部に配置した展示物の質感（バラのしっとり感、高級感）が好ましく見えることがわかる。
【符号の説明】
【０１４７】
１００  展示ケース
１０１  ケース
１０２  展示ケース
１０３  展示品
１０５  展示窓
１１０  展示ケース
１１１  第１透明シート
１１３  第２透明シート
１２０  展示ケース
１２１  観察者
２００  透明シート
２０１  基材層
２０３  粘着層
２０５  剥離層
２０７  色素層
２０９  第１基材層
２１０  透明シート
２１１  第２基材層
２２０  シート
２３０  透明シート
ＬＳ１  第１光源
ＬＳ２  第２光源
【図１】
2020160153.tif 000017
【図２】
2020160153.tif 000018
【図３】
2020160153.tif 000019
【図４】
2020160153.tif 000020
【図５】
2020160153.tif 000021
【図６】
2020160153.tif 000022
【図７】
2020160153.tif 000023
【図８】
2020160153.tif 000024
【図９】
2020160153.tif 000025
【図１０】
2020160153.tif 000026